(57)【要約】      （修正有）【課題】複数の通信手段を有する情報処理装置がユーザの使用する端末装置と通信を行う場合に、通信に使用する通信手段を適切に選択する。【解決手段】画像形成装置２０は、自身でユーザを認証した場合、通信回線２Ａに接続されている通信部と、通信回線２Ｂに接続されている通信部のうち、ユーザの端末装置１０Ａ〜１０Ｄと通信を行った通信部を、ユーザの端末装置１０Ａ〜１０Ｄと通信を行う通信部として選択する。画像形成装置２０は、認証サーバ３０Ａまたは認証サーバ３０Ｂでユーザを認証した場合、ユーザを認証した認証サーバが接続されている通信部を、ユーザの端末装置１０Ａ〜１０Ｄと通信を行う通信部として選択する。【選択図】図１
2018160010.tif 000002
【特許請求の範囲】
【請求項１】
通信回線に接続される複数の通信手段と、
第１認証方法でユーザを認証する第１認証手段と、
第２認証方法でユーザを認証する第２認証手段と、
前記第１認証手段でユーザを認証した場合、端末装置へ送信を行う通信手段を前記複数の通信手段から第１方法で選択し、前記第２認証手段でユーザを認証した場合、前記端末装置へ送信を行う通信手段を前記複数の通信手段から第２方法で選択する選択手段と、
前記選択手段が選択した通信手段で前記端末装置へ情報の送信を行う送信手段
を備える情報処理装置。
【請求項２】
前記第１認証手段による認証で前記ユーザが認証されない場合、前記第２認証手段で前記ユーザの認証を行う
請求項１に記載の情報処理装置。
【請求項３】
前記第２認証手段による認証で前記ユーザが認証されない場合、前記第１認証手段で前記ユーザの認証を行う
請求項１に記載の情報処理装置。
【請求項４】
ユーザを認証するための認証情報を記憶する記憶手段を有し、
前記第１認証方法は、前記記憶手段に記憶された認証情報を用いて前記ユーザを認証し、
前記第２認証方法は、認証情報を記憶した認証サーバを用いて前記ユーザを認証する
請求項１から請求項３のいずれか一項に記載の情報処理装置。
【請求項５】
前記第１方法は、前記複数の通信手段のうち、前記第１認証手段が認証したユーザが使用する端末装置と過去に通信を行った前記通信手段を前記端末装置へ送信を行う通信手段として選択し、
前記第２方法は、前記複数の通信手段のうち、前記ユーザを認証した認証サーバと通信回線を介して接続されている通信手段を、前記端末装置へ送信を行う通信手段として選択する
請求項４に記載の情報処理装置。
【請求項６】
コンピュータを、
通信回線に接続される複数の通信手段と、
第１認証方法でユーザを認証する第１認証手段と、
第２認証方法でユーザを認証する第２認証手段と、
前記第１認証手段でユーザを認証した場合、端末装置へ送信を行う通信手段を前記複数の通信手段から第１方法で選択し、前記第２認証手段でユーザを認証した場合、前記端末装置へ送信を行う通信手段を前記複数の通信手段から第２方法で選択する選択手段と、
前記選択手段が選択した通信手段で前記端末装置へ送信を行う送信手段
として機能させるためのプログラム。
【請求項７】
通信回線に接続される複数の通信手段と、
第１認証方法でユーザを認証する第１認証手段と、
第２認証方法でユーザを認証する第２認証手段と、
前記第１認証手段でユーザを認証した場合、端末装置へ送信を行う通信手段を前記複数の通信手段から第１方法で選択し、前記第２認証手段でユーザを認証した場合、前記端末装置へ送信を行う通信手段を前記複数の通信手段から第２方法で選択する選択手段と、
前記選択手段が選択した通信手段で前記端末装置へ情報の送信を行う送信手段
を有する情報処理装置と、
前記送信手段が送信した情報を受信する端末装置
を備える情報処理システム。
【発明の詳細な説明】
【技術分野】
【０００１】
本発明は、情報処理装置、プログラムおよび情報処理システムに関する。
【背景技術】
【０００２】
複数の通信インターフェースを備える情報処理装置として、例えば特許文献１に開示された情報処理装置がある。この情報処理装置においては、複数の通信インターフェースの各々は、それぞれ異なる通信回線に接続される。情報処理装置は、通信回線に接続されている端末からデータを受信すると、端末のユーザと、データの受信に使用した通信インターフェースとを対応付けた対応情報を保持する。情報処理装置は、端末へデータを送信する際には、保持している情報を参照し、データの送信を指示するユーザに対応付けられている通信インターフェースを選択してデータを端末へ送信する。
【先行技術文献】
【特許文献】
【０００３】
【特許文献１】特開２０１４−９０３０１号公報
【発明の概要】
【発明が解決しようとする課題】
【０００４】
情報処理装置の使用については、ユーザを認証する場合があり、ユーザの認証については、情報処理装置が認証を行う構成と、通信回線に接続された認証サーバが認証を行う構成がある。ユーザの認証を認証サーバで行う場合、ユーザが使用する端末も認証サーバが接続されている通信回線に接続されている。この場合、ユーザが使用する端末が接続されていない通信回線に接続されている通信インターフェースを選択してしまうと、情報処理装置は、ユーザの端末と通信を行うことができなくなる。
【０００５】
本発明は、複数の通信手段を有する情報処理装置がユーザの使用する端末装置と通信を行う場合に、通信に使用する通信手段を適切に選択する技術を提供することを目的とする。
【課題を解決するための手段】
【０００６】
本発明の請求項１に係る情報処理装置は、通信回線に接続される複数の通信手段と、第１認証方法でユーザを認証する第１認証手段と、第２認証方法でユーザを認証する第２認証手段と、前記第１認証手段でユーザを認証した場合、端末装置へ送信を行う通信手段を前記複数の通信手段から第１方法で選択し、前記第２認証手段でユーザを認証した場合、前記端末装置へ送信を行う通信手段を前記複数の通信手段から第２方法で選択する選択手段と、前記選択手段が選択した通信手段で前記端末装置へ情報の送信を行う送信手段を備える。
【０００７】
本発明の請求項２に係る情報処理装置は、前記第１認証手段による認証で前記ユーザが認証されない場合、前記第２認証手段で前記ユーザの認証を行う。
【０００８】
本発明の請求項３に係る情報処理装置は、前記第２認証手段による認証で前記ユーザが認証されない場合、前記第１認証手段で前記ユーザの認証を行う。
【０００９】
本発明の請求項４に係る情報処理装置は、ユーザを認証するための認証情報を記憶する記憶手段を有し、前記第１認証方法は、前記記憶手段に記憶された認証情報を用いて前記ユーザを認証し、前記第２認証方法は、認証情報を記憶した認証サーバを用いて前記ユーザを認証する。
【００１０】
本発明の請求項５に係る情報処理装置においては、前記第１方法は、前記複数の通信手段のうち、前記第１認証手段が認証したユーザが使用する端末装置と過去に通信を行った前記通信手段を前記端末装置へ送信を行う通信手段として選択し、前記第２方法は、前記複数の通信手段のうち、前記ユーザを認証した認証サーバと通信回線を介して接続されている通信手段を、前記端末装置へ送信を行う通信手段として選択する。
【００１１】
本発明の請求項６に係るプログラムは、コンピュータを、通信回線に接続される複数の通信手段と、第１認証方法でユーザを認証する第１認証手段と、第２認証方法でユーザを認証する第２認証手段と、前記第１認証手段でユーザを認証した場合、端末装置へ送信を行う通信手段を前記複数の通信手段から第１方法で選択し、前記第２認証手段でユーザを認証した場合、前記端末装置へ送信を行う通信手段を前記複数の通信手段から第２方法で選択する選択手段と、前記選択手段が選択した通信手段で前記端末装置へ送信を行う送信手段として機能させるためのプログラムである。
【００１２】
本発明の請求項７に係る情報処理システムは、通信回線に接続される複数の通信手段と、第１認証方法でユーザを認証する第１認証手段と、第２認証方法でユーザを認証する第２認証手段と、前記第１認証手段でユーザを認証した場合、端末装置へ送信を行う通信手段を前記複数の通信手段から第１方法で選択し、前記第２認証手段でユーザを認証した場合、前記端末装置へ送信を行う通信手段を前記複数の通信手段から第２方法で選択する選択手段と、前記選択手段が選択した通信手段で前記端末装置へ情報の送信を行う送信手段を有する情報処理装置と、前記送信手段が送信した情報を受信する端末装置を備える。
【発明の効果】
【００１３】
本発明の請求項１に係る情報処理装置によれば、複数の通信手段を有する情報処理装置がユーザの使用する端末装置と通信を行う場合に、通信に使用する通信手段を適切に選択することができる。
本発明の請求項２に係る情報処理装置によれば、第１認証手段でユーザが認証されない場合、第２認証手段でユーザを認証し、情報の送信を行う通信手段を選択することができる。
本発明の請求項３に係る情報処理装置によれば、第２認証手段でユーザが認証されない場合、第１認証手段でユーザを認証し、情報の送信を行う通信手段を選択することができる。
本発明の請求項４に係る情報処理装置によれば、ユーザの認証を、自装置または認証サーバで行うことができる。
本発明の請求項５に係る情報処理装置によれば、自装置でユーザの認証を行う場合には、過去の通信の履歴で通信手段を選択し、認証サーバでユーザの認証を行う場合には、ユーザを認証した認証サーバと通信回線を介して接続されている通信手段を選択することができる。
本発明の請求項６に係るプログラムによれば、複数の通信手段を有する情報処理装置がユーザの使用する端末装置と通信を行う場合に、通信に使用する通信手段を適切に選択するができる。
本発明の請求項７に係る情報処理システムによれば、複数の通信手段を有する情報処理装置がユーザの使用する端末装置と通信を行う場合に、通信に使用する通信手段を適切に選択するができる。
【図面の簡単な説明】
【００１４】
【図１】本発明の一実施形態の情報処理システム１に係る装置を示した図。
【図２】画像形成装置２０のハードウェア構成の一例を示したブロック図。
【図３】テーブルＴＢ１の一例を示した図。
【図４】テーブルＴＢ２の一例を示した図。
【図５】画像形成装置２０の機能ブロック図。
【図６】認証サーバ３０のハードウェア構成の一例を示したブロック図。
【図７】認証サーバ３０の機能ブロック図。
【図８】動作例を説明するためのシーケンス図。
【図９】動作例を説明するためのシーケンス図。
【発明を実施するための形態】
【００１５】
［実施形態］
（全体構成）
図１は、本発明の一実施形態の情報処理システム１に係る装置を示した図である。通信回線２Ａおよび通信回線２Ｂは、データ通信が行われる通信回線であり、データ通信を行う複数のコンピュータ装置が接続される。通信回線２Ａおよび通信回線２Ｂには、有線および無線の通信回線が含まれる。通信回線２Ａと通信回線２Ｂは、互いに独立した通信回線であり、通信回線２Ａと通信回線２Ｂは接続されていない。
【００１６】
本発明に係る情報処理装置の一例である画像形成装置２０は、用紙に画像を形成する画像形成機能、文書を読み取るスキャン機能、複写機能およびファクシミリ機能を備えた装置である。画像形成装置２０は、通信回線２Ａと通信回線２Ｂに接続されている。画像形成装置２０は、接続されている通信回線を介して他のコンピュータ装置と接続してデータ通信を行う。
【００１７】
本発明に係る端末装置の一例である端末装置１０Ａ〜１０Ｄは、データ通信を行うコンピュータ装置であり、本実施形態においては、デスクトップ型のパーソナルコンピュータである。端末装置１０Ａ、１０Ｂは、有線で通信回線２Ａに接続されており、端末装置１０Ｃ、１０Ｄは、有線又は無線で通信回線２Ｂに接続されている。端末装置１０Ａ〜１０Ｄは、接続されている通信回線を介してデータ通信を行う。端末装置１０は、パーソナルコンピュータに限定されるものではなく、例えば、スマートフォン、タブレット端末またはラップトップ型のパーソナルコンピュータであってもよい。なお、端末装置１０Ａ〜１０Ｄは、いずれも同じ構成であるため、以下の説明において各々を区別する必要がない場合は、端末装置１０と称する。
【００１８】
本発明に係る認証装置の一例である認証サーバ３０Ａおよび認証サーバ３０Ｂは、画像形成装置２０および端末装置１０を使用するユーザを認証する装置である。認証サーバ３０Ａは、通信回線２Ａに接続されており、認証サーバ３０Ｂは、通信回線２Ｂに接続されている。なお、認証サーバ３０Ａと認証サーバ３０Ｂは、いずれも同じハードウェア構成であるため、以下の説明において各々を区別する必要がない場合は、認証サーバ３０と称する。
【００１９】
ＩＣカード４０は、画像形成装置２０の使用を管理者により許可されたユーザが所持するＩＣカードである。ＩＣカード４０は、ＮＦＣ（Near Field Communication）の通信方式のうち、非接触ＩＣカードの通信方式に従った通信を行う。ＩＣカード４０は、画像形成装置２０のユーザを認証するための認証情報であるユーザＩＤおよびパスワードを記憶している。
【００２０】
情報処理システム１においては、例えば、通信回線２Ａは、病院内において医師が使用する端末装置１０が接続される通信回線であり、通信回線２Ｂは、病院内において事務部門に勤務する職員が使用する端末装置１０が接続される通信回線である。医師が使用する端末装置１０から医師以外の者へ情報が漏洩するのを防ぐため、通信回線２Ａと通信回線２Ｂは切り離された構成となっている。
【００２１】
情報処理システム１においては、ユーザが端末装置１０において画像形成装置２０へ文書の印刷を指示すると、文書を表すファイルを端末装置１０が画像形成装置２０へ送信し、画像形成装置２０は、端末装置１０から送信されたファイルに基づいて文書を印刷する。また、画像形成装置２０において、スキャン機能により読み取った文書を表すファイルを端末装置１０へ送信する操作が行われると、画像形成装置２０は、文書を表すファイルを端末装置１０へ送信する。
【００２２】
（画像形成装置２０の構成）
図２は、画像形成装置２０のハードウェア構成の一例を示した図である。操作部２０４は、画像形成装置２０を操作するための複数のボタンを有する。また、操作部２０４は、液晶ディスプレイの表示面において指の接触を検出するセンサーと液晶ディスプレイとを組み合わせたタッチパネルを備えている。タッチパネルは、画像形成装置２０を操作するためのＧＵＩの画面を表示する。なお、本実施形態においては、画像形成装置２０はタッチパネルを有し、タッチパネルおよびボタンで画像形成装置２０を操作可能であるが、タッチパネルの替わりに液晶ディスプレイを有し、液晶ディスプレイでＧＵＩの画面を表示し、ボタンで画像形成装置２０を操作する構成であってもよい。
【００２３】
通信部２０５Ａは、通信回線２Ａに有線または無線で接続されており、通信回線２Ａに接続されている他の装置とデータ通信を行う。通信部２０５Ｂは、通信回線２Ｂに有線または無線で接続されており、通信回線２Ｂに接続されている他の装置とデータ通信を行う。通信部２０５Ａおよび通信部２０５Ｂは、本発明に係る通信手段の一例である。
【００２４】
スキャン部２０６は、文書を光学的に読み取り、読み取った文書の画像を表すファイルを生成する画像読取装置（図示略）を備えている。画像処理部２０８は、用紙に形成する画像を表す画像データに各種処理を施すものである。画像処理部２０８は、制御部２０１から供給される画像データが表す画像に色補正や階調補正等の画像処理を施し、画像処理が施された画像からＹｅｌｌｏｗ（Ｙ）、Ｍａｇｅｎｔａ（Ｍ）、Ｃｙａｎ（Ｃ）、Ｂｌａｃｋ（Ｋ）の各色の画像の画像データを生成して画像形成部２０７へ出力する。
【００２５】
画像形成部２０７は、電子写真方式によって用紙にトナー像を形成する。具体的には、画像形成部２０７は、Ｙｅｌｌｏｗの色のトナー像を形成する画像形成部、Ｍａｇｅｎｔａの色のトナー像を形成する画像形成部、Ｃｙａｎの色のトナー像を形成する画像形成部、Ｂｌａｃｋの色のトナー像を形成する画像形成部を備えている。各画像形成部は、画像処理部２０８が出力した画像データに従って感光体上に静電潜像を形成した後、感光体表面にトナーを付着させてＹｅｌｌｏｗ、Ｍａｇｅｎｔａ、Ｃｙａｎ、Ｂｌａｃｋの各色のトナー像を形成し、このトナー像を用紙に転写する。そして、用紙に転写されたトナー像に熱と圧力を加えて定着させた後、トナー像が形成された用紙を画像形成装置２０の外へ排出する。なお、画像形成部２０７は、本実施形態においてはトナーを用いて用紙に画像を形成するが、インクジェット方式などのインクを用いて用紙に画像を形成する構成としてもよい。
【００２６】
近距離通信部２０９は、ＮＦＣの通信方式のうち、非接触ＩＣカードの通信方式に従った通信を行う。近距離通信部２０９は、ＩＣカード４０と通信を行い、ＩＣカードに記憶されているユーザＩＤおよびパスワードを取得する。
【００２７】
記憶部２０２は、データを永続的に記憶する記憶装置を有しており、他の装置から送信されて通信部２０５Ａまたは通信部２０５Ｂが受信したファイルやスキャン部２０６が生成したファイルを記憶する。
【００２８】
また、記憶部２０２は、画像形成装置２０の使用を管理者により許可された者に付与された認証情報を格納するテーブルＴＢ１を記憶する。図３は、テーブルＴＢ１の一例を示した図である。テーブルＴＢ１は、ユーザＩＤフィールドと、パスワードフィールドを有する。ユーザＩＤフィールドは、画像形成装置２０の使用を許可されている者に付与されているユーザＩＤを格納するフィールドである。ユーザＩＤは、ユーザを一意に識別する識別子である。パスワードフィールドは、画像形成装置２０の使用を許可されている者に付与されているパスワードを格納するフィールドである。
【００２９】
また、記憶部２０２は、端末装置１０との通信の履歴を格納するテーブルＴＢ２を記憶する。図４は、テーブルＴＢ２の一例を示した図である。テーブルＴＢ２は、アドレスフィールド、ユーザＩＤフィールドおよびインターフェースフィールドを有する。アドレスフィールドは、画像形成装置２０と通信を行った端末装置１０のＩＰアドレスを格納する。ユーザＩＤフィールドは、画像形成装置２０と通信を行った端末装置１０のユーザのユーザＩＤを格納する。インターフェースフィールドは、端末装置１０と通信を行ったときに使用した通信部の識別子を格納する。
【００３０】
例えば、端末装置１０Ａから画像形成装置２０へ文書のファイルを送信し、送信されたファイルが表す文書を画像形成装置２０が印刷する場合、端末装置１０Ａと画像形成装置２０が通信を行い、文書のファイルと端末装置１０のユーザのユーザＩＤが端末装置１０から画像形成装置２０へ送信される。この場合、通信部２０５ＡがファイルとユーザＩＤを受信する。テーブルＴＢ２においては、この送信されたユーザＩＤがユーザＩＤフィールドに格納され、ユーザＩＤを送信した端末装置１０のＩＰアドレスがアドレスフィールドに格納される。また、インターフェースフィールドにおいては、ファイルとユーザＩＤを受信した通信部２０５Ａを表す「Ａ」が格納される。なお、画像形成装置２０が通信部２０５ＢでファイルとユーザＩＤを受信した場合、インターフェースフィールドには、通信部２０５Ｂを表す「Ｂ」が格納される。
【００３１】
制御部２０１は、ＣＰＵ、ＲＡＭおよびメモリーを備えており、メモリーに記憶されているオペレーティングシステムのプログラムやアプリケーションプログラムを実行する。制御部２０１は、ユーザの認証を画像形成装置２０が行うように画像形成装置２０が設定されている場合、テーブルＴＢ１を用いてユーザを認証し、ユーザの認証を認証サーバ３０で行うように画像形成装置２０が設定されている場合、認証サーバ３０にアクセスしてユーザの認証を行う。また、制御部２０１は、用紙に画像を形成する際には、用紙に形成する画像を表す画像データを記憶部２０２に記憶されているファイルに基づいて生成し、生成した画像データを画像処理部２０８へ供給する。制御部２０１は、スキャン部２０６が生成したファイルを端末装置１０へ送信する際には、スキャン部２０６が生成したファイルを通信部２０５Ａまたは通信部２０５Ｂを制御して端末装置１０へ送信する。
【００３２】
図５は、画像形成装置２０において実現する機能のうち、本発明に係る機能の構成を示したブロック図である。本発明に係る第１認証手段の一例である第１認証部２００１は、近距離通信部２０９がＩＣカード４０から受信するユーザＩＤおよびパスワードを取得する。第１認証部２００１は、取得したユーザＩＤおよびパスワードの組と、記憶部２０２に記憶されているテーブルＴＢ１を用いてユーザを認証する。本発明に係る第２認証手段の一例である第２認証部２００２は、近距離通信部２０９がＩＣカード４０から受信するユーザＩＤおよびパスワードを取得する。第１認証部２００１は、取得したユーザＩＤおよびパスワードの組を認証サーバ３０へ送信する。第２認証部２００２は、送信したユーザＩＤおよびパスワードの組への応答として認証サーバ３０から送信されるユーザの認証結果を受信し、ユーザを認証する。
【００３３】
本発明に係る選択手段の一例である選択部２００３は、第１認証部２００１がユーザを認証した場合、ユーザが使用する端末装置１０と過去に通信を行った通信部２０５Ａまたは通信部２０５Ｂを、ユーザの使用する端末装置１０と通信を行う通信手段として選択する。また、選択部２００３は、第２認証部２００２がユーザを認証した場合、ユーザを認証した認証サーバ３０と通信を行った通信部２０５Ａまたは通信部２０５Ｂを、ユーザの使用する端末装置１０と通信を行う通信手段として選択する。
本発明に係る送信手段の一例である通信制御部２００４は、選択部２００３が選択した通信部２０５Ａまたは通信部２０５Ｂを制御し、ユーザの端末装置１０と通信を行う。
【００３４】
（認証サーバ３０の構成）
図６は、認証サーバ３０Ａと認証サーバ３０Ｂのハードウェア構成の一例を示したブロック図である。なお、認証サーバ３０Ａと認証サーバ３０Ｂの各部を区別する必要がある場合、説明の便宜上、認証サーバ３０の符号の末尾のアルファベットを各部の符号の末尾に付加して説明を行う。例えば、認証サーバ３０Ａの各部については、各部の符号の末尾に「Ａ」を付け、認証サーバ３０Ｂの各部については、各部の符号の末尾に「Ｂ」を付ける。
【００３５】
通信部３０５は、データ通信を行うための通信インターフェースとして機能する。通信部３０５Ａは、通信回線２Ａに接続されており、通信部３０５Ｂは、通信回線２Ｂに接続されている。
【００３６】
記憶部３０２は、制御部３０１が実行するプログラムや、プログラムを実行した制御部３０１が使用する情報などを永続的に記憶する記憶装置（例えばハードディスク装置）を有している。記憶部３０２が記憶するプログラムとしては、オペレーティングシステムのプログラムや、画像形成装置２０や端末装置１０を使用するユーザを認証するプログラムなどがある。また、記憶部３０２は、画像形成装置２０および端末装置１０の使用を管理者により許可された者に付与された認証情報を格納するテーブルＴＢ３を記憶する。テーブルＴＢ３の構成は、テーブルＴＢ１と同じであり、ユーザＩＤフィールドと、パスワードフィールドを有する。
【００３７】
制御部３０１は、ＣＰＵおよびＲＡＭを有しており、オペレーティングシステムのプログラムを実行し、記憶部３０２や通信部３０５を制御する。また、ユーザを認証するプログラムを実行すると、端末装置１０または画像形成装置２０から送信されるユーザＩＤおよびパスワードを取得し、取得したユーザＩＤおよびパスワードを用いてユーザの認証処理を行う。
【００３８】
図７は、画像形成装置２０において実現する機能のうち、本発明に係る機能の構成を示したブロック図である。取得部３００１は、画像形成装置２０から送信されるユーザＩＤおよびパスワードを取得する。認証部３００２は、取得部３００１が取得したユーザＩＤおよびパスワードの組と、記憶部３０２に記憶されているテーブルＴＢ３を用いてユーザを認証する。認証部３００２は、認証結果を表すメッセージを、ユーザＩＤおよびパスワードを送信した端末装置１０へ送信する。
【００３９】
（実施形態の動作例）
図８、９は、本発明の動作例を説明するためのシーケンス図である。まず、画像形成装置２０を使用するユーザの認証を画像形成装置２０が行う設定である場合の動作例について、図８を用いて説明する。なお、以下の説明においては、過去にユーザＡが端末装置１０Ａから文書ファイルを画像形成装置２０へ送信して文書の印刷が行われたことにより、テーブルＴＢ２において図４の３行目のレコードが生成されている場合を想定して動作例の説明を行う。
【００４０】
ユーザＡは、画像形成装置２０を使用する場合、自身に付与されたＩＣカード４０を近距離通信部２０９に近づける。近距離通信部２０９は、ユーザＡが近づけたＩＣカード４０と通信を行い、ＩＣカード４０に接続する。近距離通信部２０９がＩＣカード４０と接続すると、制御部２０１は、近距離通信部２０９を制御し、ＩＣカード４０に記憶されているユーザＩＤおよびパスワードを取得する（ステップＳ１）。
【００４１】
制御部２０１は、取得したユーザＩＤおよびパスワードを用いてユーザを認証する（ステップＳ２）。具体的には、制御部２０１は、ＩＣカード４０から取得したユーザＩＤとパスワードの組と同じユーザＩＤとパスワードの組がテーブルＴＢ１に格納されているか判断する。制御部２０１は、ＩＣカード４０から取得したユーザＩＤとパスワードの組と同じユーザＩＤとパスワードの組がテーブルＴＢ１に格納されている場合、画像形成装置２０の使用をユーザＡに許可する（ステップＳ３）。制御部２０１がユーザＡに対して画像形成装置２０の使用を許可すると、ユーザＡは、操作部２０４を操作して画像形成装置２０を使用することが可能となる。
【００４２】
ユーザＡは、スキャン部２０６で読み取った文書を表すファイルを端末装置１０Ａへ送信する機能を使用する場合、操作部２０４を操作して当該機能の実行を指示する。制御部２０１は、ユーザの操作に応じて当該機能を開始する（ステップＳ４）。制御部２０１は、当該機能を開始すると、ユーザの認証を画像形成装置２０が行うように設定されている場合、使用を許可したユーザＡのユーザＩＤがテーブルＴＢ２に格納されているか判断する（ステップＳ５）。
【００４３】
制御部２０１は、使用を許可したユーザＡのユーザＩＤがテーブルＴＢ２に格納されている場合（ステップＳ５でＹＥＳ）、ユーザＩＤが格納されていたレコードのインターフェースフィールドに格納されている情報を取得する（ステップＳ６）。例えば、図４のテーブルＴＢ２においては、３行目のレコードにユーザＡのユーザＩＤである「ｕｓｅｒＡ」が格納されているため、制御部２０１は、３行目のレコードのインターフェースフィールドに格納されている情報である「Ａ」を取得する。
【００４４】
制御部２０１は、インターフェースフィールドから取得した情報が「Ａ」である場合、ファイルを送信する際に使用する通信部２０５として通信部２０５Ａを選択する（ステップＳ７）。なお、制御部２０１は、インターフェースフィールドから取得した情報が「Ｂ」である場合、ファイルを送信する際に使用する通信部２０５として通信部２０５Ｂを選択する。
【００４５】
制御部２０１は、ファイルを送信する際に使用する通信部２０５を選択すると、スキャン部２０６にセットされた文書のスキャンを開始する（ステップＳ８）。スキャン部２０６が文書を読み取ると、読み取った文書の画像を表すファイルが記憶部２０２に記憶される。
【００４６】
制御部２０１は、読み取った文書の画像を表すファイルが記憶部２０２に記憶されると、選択した通信部２０５Ａに接続されている端末装置１０の一覧を表示するように操作部２０４のタッチパネルを制御する（ステップＳ９）。例えば、制御部２０１が、ファイルを送信する際に使用する通信部２０５として通信部２０５Ａを選択した場合、通信回線２Ａに接続されている端末装置１０Ａの端末名と、端末装置１０Ｂの端末名がタッチパネルに表示される。
【００４７】
ユーザＡは、表示された端末名のうち、自身が使用している端末装置１０Ａの端末名をファイルの送信先として選択する操作を行う（ステップＳ１０）。ユーザＡが端末名を選択した後、ファイルの送信を指示する操作を行うと（ステップＳ１１）、制御部２０１は、通信部２０５Ａを制御し、読み取った文書の画像を表すファイルを、選択された端末名の端末装置１０Ａへ送信する（ステップＳ１２）。
【００４８】
なお、制御部２０１は、使用を許可したユーザＡのユーザＩＤがテーブルＴＢ２に格納されていない場合、通信回線２Ａに接続されている端末装置１０の一覧と、通信回線２Ｂに接続されている端末装置１０の一覧が表示されるようにタッチパネルを制御する（ステップＳ１３）。ユーザＡは、タッチパネルに表示された端末名のうち、自身が使用している端末装置１０Ａの端末名をファイルの送信先として選択する（ステップＳ１４）。ユーザＡが端末名を選択した後、ファイルの送信を指示する操作を行うと（ステップＳ１５）、制御部２０１は、端末装置１０Ａが接続されている通信回線２Ａに接続されている通信部２０５Ａを制御し、読み取った文書の画像を表すファイルを、選択された端末名の端末装置１０Ａへ送信する（ステップＳ１６）。
【００４９】
次に、画像形成装置２０において、ユーザの認証を認証サーバ３０が行うように設定されている場合の動作例について、図９を用いて説明する。ユーザＡは、画像形成装置２０を使用する場合、自身に付与されたＩＣカード４０を近距離通信部２０９に近づける。近距離通信部２０９は、ユーザＡが近づけたＩＣカード４０と通信を行い、ＩＣカード４０に接続する。近距離通信部２０９がＩＣカード４０と接続すると、制御部２０１は、近距離通信部２０９を制御し、ＩＣカード４０に記憶されているユーザＩＤおよびパスワードを取得する（ステップＳ２１）。
【００５０】
ユーザの認証を認証サーバ３０が行うように設定されている場合、制御部２０１は、ＩＣカード４０から取得したユーザＩＤとパスワードの組を、まず通信部２０５Ａを制御して認証サーバ３０Ａへ送信する（ステップＳ２２）。認証サーバ３０Ａは、画像形成装置２０から送信されたユーザＩＤおよびパスワードを用いてユーザを認証する（ステップＳ２３）。具体的には、制御部３０１Ａは、画像形成装置２０から送信されたユーザＩＤとパスワードの組と同じユーザＩＤとパスワードの組がテーブルＴＢ３に格納されているか判断する。認証サーバ３０Ａは、画像形成装置２０から送信されたユーザＩＤとパスワードの組と同じユーザＩＤとパスワードの組がテーブルＴＢ３に格納されている場合、画像形成装置２０の使用をユーザＡに許可する（ステップＳ２４）。認証サーバ３０Ａは、画像形成装置２０の使用をユーザに許可した場合、画像形成装置２０の使用を許可することを表すメッセージを画像形成装置２０へ送信する（ステップＳ２５）。
【００５１】
画像形成装置２０の使用を許可することを表すメッセージを通信部２０５Ａが受信すると、制御部２０１は、画像形成装置２０の使用をユーザＡに許可する（ステップＳ２６）。制御部２０１がユーザＡに対して画像形成装置２０の使用を許可すると、ユーザＡは、操作部２０４を操作して画像形成装置２０を使用することが可能となる。また、制御部２０１は、ユーザに対して画像形成装置の使用を許可すると、ユーザＡの操作によって通信を行う場合に使用する通信部２０５として、画像形成装置２０の使用を許可することを表すメッセージを受信した通信部２０５Ａを選択する（ステップＳ２７）。
【００５２】
ユーザＡは、スキャン部２０６で読み取った文書を表すファイルを端末装置１０Ａへ送信する機能を使用する場合、操作部２０４を操作して当該機能の実行を指示する。制御部２０１は、ユーザの操作に応じて当該機能を開始する（ステップＳ２８）。制御部２０１は、当該機能を開始すると、ユーザの認証を認証サーバ３０が行うように設定されている場合、スキャン部２０６にセットされた文書のスキャンを開示する（ステップＳ２９）。スキャン部２０６が文書を読み取ると、読み取った文書の画像を表すファイルが記憶部２０２に記憶される。
【００５３】
制御部２０１は、読み取った文書の画像を表すファイルが記憶部２０２に記憶されると、ステップＳ２７で選択した通信部２０５Ａに接続されている端末装置１０の一覧を表示するようにタッチパネルを制御する（ステップＳ３０）。例えば、制御部２０１が、ファイルを送信する際に使用する通信部２０５として通信部２０５Ａを選択した場合、通信回線２Ａに接続されている端末装置１０Ａの端末名と、端末装置１０Ｂの端末名がタッチパネルに表示される。
【００５４】
ユーザＡは、表示された端末名のうち、自身が使用している端末装置１０Ａの端末名をファイルの送信先として選択する操作を行う（ステップＳ３１）。ユーザＡが端末名を選択した後、ファイルの送信を指示する操作を行うと（ステップＳ３２）、制御部２０１は、通信部２０５Ａを制御し、読み取った文書の画像を表すファイルを、選択された端末名の端末装置１０Ａへ送信する（ステップＳ３３）。
【００５５】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態および以下の変形例は、各々を組み合わせてもよい。
【００５６】
（変形例１）
本発明においては、画像形成装置２０を使用するユーザの認証を画像形成装置２０が行う設定である場合において、認証されたユーザのユーザＩＤが格納されているレコードがテーブルＴＢ２に複数あり、この複数のレコードにおいて、インターフェースフィールドに「Ａ」が格納されているレコードと、インターフェースフィールドに「Ｂ」が格納されているレコードがある場合、画像形成装置２０は、通信回線２Ａに接続されている端末装置１０の一覧と、通信回線２Ｂに接続されている端末装置１０の一覧を表示し、ファイルの送信先とする端末装置１０の端末名を選択させるようにしてもよい。この場合、画像形成装置２０は、ユーザが選択した端末装置１０が接続されている通信回線に接続されている通信部２０５を、ファイルの送信に使用する通信部２０５として選択する。
【００５７】
（変形例２）
本発明においては、画像形成装置２０を使用するユーザの認証を認証サーバ３０Ａおよび認証サーバ３０Ｂで行う場合、一人のユーザについて認証サーバ３０Ａと認証サーバ３０Ｂの両方で認証可能な場合には、画像形成装置２０は、通信回線２Ａに接続されている端末装置１０の一覧と、通信回線２Ｂに接続されている端末装置１０の一覧を表示し、ファイルの送信先とする端末装置１０の端末名をユーザに選択させるようにしてもよい。
この場合、例えば画像形成装置２０は、ＩＣカード４０から取得したユーザＩＤおよびパスワードを、認証サーバ３０Ａと認証サーバ３０Ｂの両方へ送信する。画像形成装置２０は、画像形成装置２０の使用を許可することを表すメッセージが認証サーバ３０Ａと認証サーバ３０Ｂの両方から送信された場合、上述したように、通信回線２Ａに接続されている端末装置１０の一覧と、通信回線２Ｂに接続されている端末装置１０の一覧を表示する。画像形成装置２０は、一覧からユーザが選択した端末装置１０が接続されている通信回線に接続されている通信部２０５を、ファイルの送信に使用する通信部２０５として選択する。
【００５８】
（変形例３）
本発明においては、画像形成装置２０から端末装置１０へファイルを送信するときに、ファイルを送信する方法を複数の方法の中から選択できる構成としてもよい。例えば、ファイルを送信する方法として、ＦＴＰ（File Transfer Protocol）を用いた方法、ＳＭＢ（Server Message Block）を用いた方法、電子メールを用いた方法のいずれかをユーザに選択させる構成であってもよい。また、ファイルを送信する方法をユーザが選択できる構成においては、複数の通信部２０５毎に、使用可能な送信方法を設定してもよい。例えば、通信部２０５Ａについては、ファイルの送信の際にＦＴＰ、ＳＭＢおよび電子メールを使用可能な設定とし、通信部２０５Ｂについては、ファイルの送信の際にＳＭＢと電子メールを使用可能な設定としてもよい。また、通信部２０５毎に使用可能なファイルの送信方法を設定する構成においては、ファイルの送信方法の一覧を表示してユーザに送信方法を選択させる際に、使用不可な送信方法についてはグレーアウトにして表示するようにしてもよい。
【００５９】
（変形例４）
本発明においては、画像形成装置２０を使用可能なユーザ毎に、ユーザを認証する方法が異なる構成であってもよい。本変形例の場合、例えば、ＩＣカード４０からユーザＩＤとパスワードを取得した制御部２０１は、まず、認証サーバ３０ＡへユーザＩＤとパスワードを送信する。制御部２０１は、認証サーバ３０Ａから送信された画像形成装置２０の使用を許可することを表すメッセージを通信部２０５Ａが受信した場合、ユーザの操作によって通信を行う場合に使用する通信部２０５として通信部２０５Ａを選択する。
【００６０】
制御部２０１は、認証サーバ３０Ａから送信された画像形成装置２０の使用を不許可とすることを表すメッセージを通信部２０５Ａが受信した場合、認証サーバ３０ＢへユーザＩＤとパスワードを送信する。制御部２０１は、認証サーバ３０Ｂから送信された画像形成装置２０の使用を許可することを表すメッセージを通信部２０５Ｂが受信した場合、ユーザの操作によって通信を行う場合に使用する通信部２０５として通信部２０５Ｂを選択する。
【００６１】
制御部２０１は、認証サーバ３０Ｂから送信された画像形成装置２０の使用を不許可とすることを表すメッセージを通信部２０５Ｂが受信した場合、ＩＣカード４０から取得したユーザＩＤとパスワードの組がテーブルＴＢ１に格納されているか判断する。制御部２０１は、ＩＣカード４０から取得したユーザＩＤとパスワードの組と同じユーザＩＤとパスワードの組がテーブルＴＢ１に格納されている場合、画像形成装置２０の使用をユーザＡに許可する。制御部２０１は、このようにテーブルＴＢ１を用いてユーザを認証した場合、ユーザの操作によって通信を行う場合に使用する通信部２０５を、上述した実施形態と同様にテーブルＴＢ２を用いて選択する。
【００６２】
なお、上述の変形例では、制御部２０１は、認証サーバ３０による認証を試み、認証サーバ３０により認証がされなかった場合、テーブルＴＢ１を用いた認証を試みているが、上述の構成に限定されるものではない。例えば、まず、テーブルＴＢ１を用いた認証を先に試み、テーブルＴＢ１を用いた認証処理でユーザを認証しなかった場合、認証サーバ３０Ａまたは認証サーバ３０Ｂの一方を選択し、選択した認証サーバ３０を用いた認証処理を行う。そして、選択した認証サーバ３０でユーザが認証されなかった場合、他方の認証サーバ３０を用いて認証処理を行うようにしてもよい。
【００６３】
（変形例５）
上述した実施形態においては、通信部２０５の数は２つとなっているが、通信部２０５の数は、３つ以上であってもよい。
【００６４】
（変形例６）
上述した実施形態においては、制御部２０１は、ユーザＩＤとパスワードをＩＣカード４０から取得しているが、操作部２０４のタッチパネルまたはボタンでユーザＩＤとパスワードをユーザに入力させ、操作部２０４でユーザが入力したユーザＩＤとパスワードを取得してもよい。
【符号の説明】
【００６５】
１…情報処理システム、２Ａ、２Ｂ…通信回線、１０、１０Ａ、１０Ｂ、１０Ｃ、１０Ｄ…端末装置、２０…画像形成装置、３０、３０Ａ、３０Ｂ…認証サーバ、４０…ＩＣカード、２０１…制御部、２０２…記憶部、２０４…操作部、２０５Ａ、２０５Ｂ…通信部、２０６…スキャン部、２０７…画像形成部、２０８…画像処理部、２０９…近距離通信部、３０１…制御部、３０２…記憶部、３０５…通信部、２００１…第１認証部、２００２…第２認証部、２００３…選択部、２００４…通信制御部、３００１…取得部、３００２…認証部。
【図１】
2018160010.tif 000003
【図２】
2018160010.tif 000004
【図３】
2018160010.tif 000005
【図４】
2018160010.tif 000006
【図５】
2018160010.tif 000007
【図６】
2018160010.tif 000008
【図７】
2018160010.tif 000009
【図８】
2018160010.tif 000010
【図９】
2018160010.tif 000011